(57)【要約】【課題】  車両にアルコール検知機能を設け、アルコール濃度が所定値以上であるときにエンジンの始動を禁止する車両制御装置において、ディーラオプションなど後付けで遠隔始動装置を車両に装着した場合、遠隔始動装置を用いてエンジンを始動させることができない。【解決手段】  車両にアルコール検知機能を設けた車両において、携帯機からのエンジン始動要求を受信した場合、アルコール検知結果によらずエンジンの始動を解除する擬似信号を出力し、前記携帯機の要求によってエンジンが始動したあとに、車両室内に運転者が侵入もしくは運転者の存在を検知した場合は、エンジン停止要求信号を出力する遠隔始動装置。【選択図】図２
2010167826.tif 000002
【特許請求の範囲】
【請求項１】
運転者のアルコール濃度に基づきデータ信号を出力し、該データ信号が所定の特定信号と一致するとエンジンの作動を許容させる機能を備えた車両に設けられ、通信機能を有する携帯機によりエンジンを遠隔始動する機能を備えたエンジン遠隔始動／停止装置において、
前記携帯機から送出される始動指示信号を受信した場合、前記所定の特定信号に対応する擬似信号を前記データ信号として出力する擬似信号生成手段を備えたエンジン遠隔始動／停止装置。
【請求項２】
前記擬似信号をデータ信号として出力した後に、前記始動指示信号を送信することを特徴とする請求項１に記載のエンジン遠隔始動／停止装置。
【請求項３】
前記携帯機によりエンジンを遠隔始動した後に、運転者の車室内への侵入を検知した場合、エンジンを停止させるエンジン停止信号を送信することを特徴とする請求項２または３に記載のエンジン遠隔始動／停止装置。
【請求項４】
運転者のアルコール濃度に基づきデータ信号を出力し、該データ信号が所定の特定信号と一致するとエンジンの作動を許容させる機能を備えた車両に設けられ、通信機能を有する携帯機からのエンジンの始動信号に基づいてエンジンを始動するエンジン制御装置において、
携帯機からエンジンの始動要求があった場合、前記アルコール濃度に基づくデータ信号に関わらず、エンジンの作動を許容させることを特徴とするエンジン制御装置。
【請求項５】
前記携帯機からエンジンの始動要求によりエンジンを始動した後に、運転者の車室内への侵入を検知した場合、エンジンを自動停止することを特徴とする請求項４に記載のエンジン制御装置。
【発明の詳細な説明】
【技術分野】
【０００１】
本発明は、車両に搭載されたエンジンまたは空調装置の遠隔装置に関する。
【背景技術】
【０００２】
飲酒運転の防止は社会的な要請であり、近年においてはシートベルトにアルコール検知器を備え付け、運転する前に、これに息を吹き込んでアルコール濃度を測定し、アルコール濃度が所定値以上の場合、エンジンが始動せず、飲酒運転ができないようにする車両が開発されている。また、夏場や冬場など運転者が車両に乗車してから空調制御を行っていては、運転者の所望温度になるまで所定時間を要することになり、乗車後すぐに運転者が快適に運転できないという問題があり、遠隔からエンジンを始動させ、車室内の暖房や冷房を可能とすることができる遠隔始動装置が開発されている。
また、従来から、飲酒運転を防止に関する発明として特許文献１、エンジンの遠隔始動装置として特許文献２などの技術も開示されている。
【先行技術文献】
【特許文献】
【０００３】
【特許文献１】特開２００４−１６９５２４
【特許文献２】特開平１０−１４８１７０
【発明の概要】
【発明が解決しようとする課題】
【０００４】
しかし、このように車両にアルコール検知器を備えた場合、運転者が一旦、車両に乗車してからアルコール検知器でノンアルコールであることを検知してからでないとエンジンの始動ができないようになっている。そのため、ディーラやオートバックスなどで運転者が後付けで遠隔始動装置を装着した場合、遠隔始動装置を用いてエンジンを始動させることができないという問題が生じる。すなわち、車両所有者が、遠隔始動装置を用いて遠隔から車室内の暖房や冷房を実施することができなくなる。
本発明はこうした事情に鑑みてなされたものであり、その目的は、アルコール検知機能を備えた車両において、ディーラやオートバックスなどで遠隔始動装置を後付けで装着しても遠隔始動を可能とする車両制御装置を提供することである。さらに、車両走行時には確実にアルコール検知機能も利用して飲酒運転を防止できる車両制御装置を提供することにある。
【課題を解決するための手段】
【０００５】
上記の課題を解決するために、請求項１に記載の発明では、運転者のアルコール濃度に基づきデータ信号を出力し、該データ信号が所定の特定信号と一致するとエンジンの作動を許容させる機能を備えた車両に設けられ、通信機能を有する携帯機によりエンジンを遠隔始動する機能を備えたエンジン遠隔始動／停止装置において、前記携帯機から送出される始動指示信号を受信した場合、前記所定の特定信号に対応する擬似信号を前記データ信号として出力する擬似信号生成手段を備えたことを要旨とする。
請求項２に記載の発明では、請求項１に記載のエンジン遠隔始動／停止装置において、擬似信号をデータ信号として出力した後に、始動指示信号を送信することを特徴とすることを要旨とする。
請求項３に記載の発明では、請求項１または２に記載のエンジン遠隔始動／停止装置において、携帯機によりエンジンを遠隔始動した後に、運転者の車室内への侵入を検知した場合、エンジンを停止させるエンジン停止信号を送信することを特徴とすることを要旨とする。
請求項４に記載の発明では、運転者のアルコール濃度に基づきデータ信号を出力し、該データ信号が所定の特定信号と一致するとエンジンの作動を許容させる機能を備えた車両に設けられ、通信機能を有する携帯機からのエンジンの始動信号に基づいてエンジンを始動するエンジン制御装置において、携帯機からエンジンの始動要求があった場合、前記アルコール濃度に基づくデータ信号に関わらず、エンジンの作動を許容させることを特徴とすることを要旨とする。
【０００６】
請求項５に記載の発明では、請求項４に記載のエンジン制御装置において、携帯機からエンジンの始動要求によりエンジンを始動した後に、運転者の車室内への侵入を検知した場合、エンジンを自動停止することを特徴とすることを要旨とする。
【発明の効果】
【０００７】
以下、本発明の効果について説明する。
【０００８】
請求項１に記載の発明によると、携帯機から遠隔でエンジンの始動要求を受信した場合、所定の特定信号と一致するデータ信号をエンジン遠隔始動／停止装置から擬似信号を送信するようにしているため、ディーラやオートバックスなどでエンジン遠隔始動／停止装置を後付けしても、遠隔からエンジンの始動が可能となる。
【０００９】
請求項２に記載の発明によると、エンジン遠隔始動／停止装置は擬似信号出力後にエンジン始動指示信号を出力しているようにしている。つまり、エンジン制御装置がアルコール許可信号を受信して、始動信号を受信するようにしているため、確実にエンジンの始動が可能となる。
請求項３に記載の発明によると、エンジン遠隔始動／停止装置を用いてエンジン始動後に運転者の車室内への侵入を検知すると、エンジン遠隔始動／停止装置はエンジン停止信号を出力する構成としている。すなわち、エンジン遠隔始動／停止装置を用いてエンジンを遠隔始動しても、運転者が車室内へ侵入するとエンジンを一旦停止して、アルコール濃度測定を実施してからでないと車両走行できないようになっている。
【００１０】
請求項４に記載の発明によると、携帯機からのエンジン始動要求を受信するとアルコール濃度検知結果によらずエンジンの始動を許可するようにエンジン制御装置がエンジンを制御しているため、ディーラやオートバックスなどでエンジン遠隔始動／停止装置を後付けしても遠隔からエンジンの始動が可能となる。
請求項５に記載の発明によると、エンジン遠隔始動／停止装置を用いてエンジン始動後に運転者の車室内への侵入を検知すると、エンジン制御装置がエンジンを自動停止する構成としている。すなわち、エンジン遠隔始動／停止装置を用いてエンジンを遠隔始動しても、運転者が車室内へ侵入するとエンジンを一旦停止して、アルコール濃度測定を実施してからでないと車両走行できないようになっている。
【図面の簡単な説明】
【００１１】
【図１】本発明の一実施例である車両制御装置の概略図を示す構成図である。
【図２】本発明の一実施例である車両制御装置の概略図を示す構成図である。
【図３】本発明の一実施例である車両制御装置のエンジン始動を示すフローチャートである。
【図４】本発明の一実施例である車両制御装置のエンジン始動を示すタイミングチャートである。
【図５】本発明の一実施例である車両制御遠隔装置のエンジン始動を示すタイミングチャートである。
【図６】本発明の一実施例である車両制御装置のエンジン始動を示すタイミングチャートである。
【図７】本発明の一実施例である車両制御装置のエンジン始動を示すタイミングチャートである。
【図８】本発明の一実施例である車両制御装置の概略図を示す構成図である。
【図９】本発明の一実施例である車両制御装置の概略図を示す構成図である。
【発明を実施するための形態】
【００１２】
（第１実施形態）
次に、本発明の実施形態を図１〜図２に基づき詳細に説明する。
【００１３】
図１に示すように、車両１１は、車両制御装置１０（遠隔始動／停止装置１、エンジン制御装置２、ボディ制御装置３、アルコール検知装置４、送受信装置５、通信線８，９などから構成される）を備え、携帯機１２とＩＤコードの照合を実施して、車両１０の制御を可能としている。
【００１４】
エンジン制御装置２は、吸気管から吸入される空気（エアフローセンサ１０７で検知）とインジェクタ１１０から噴射される燃料との混合気がシリンダ内で着火・燃焼することにより、駆動力を発生する。エンジンから出力された駆動力は、図示しないトランスミッション、ディファレンシャル、ドライブシャフトなどを介して駆動輪に伝達される。
【００１５】
エンジン制御装置２は、始動・停止ＳＷ１０１、アクセルセンサ１０２、スロットルセンサ１０３、ブレーキ圧センサ１０４、車速センサ１０５、エンジン回転数センサ１０６、エアフローセンサ１０７、酸素濃度センサ１０８などの各種センサが接続されている。
【００１６】
エンジン制御装置２は、インジェクタ１１０を駆動するインジェクタドライバ、イグナイタ１１１へ点火信号を出力する出力回路、および電子スロットルバルブを開閉する電子スロットルモータ１１３を駆動するモータドライブなどを備えている。
【００１７】
エンジン制御装置２は、その内部に演算を行うＣＰＵ、このＣＰＵに各処理を実行させるためのプログラム等を記憶するＲＯＭ、演算結果など各種データを記憶するＲＡＭなどを有している。
エンジン制御装置２は、上述した各種センサ２１からの出力値に基づいて燃料噴射量や点火時期などの制御値を算出し、算出した制御値に基づいてインジェクタ１１０、イグナイタ１１１、電子スロットルモータ１１２、エンジンスタータモータ１１３を駆動して、エンジンの運転を制御する。
また、アルコール検知装置４には、アルコール検知器１４０が接続されており、該アルコール検知器１４０による検知結果が入力される。アルコール検知装置４は、検知結果が所定の基準値未満であるときには、運転者が飲酒をしていない状態であると判断し、該検知結果をエンジン制御装置２にエンジン始動許可信号１２２として送信する。また、アルコール検知装置４からアルコール濃度をエンジン制御装置２に送信して、エンジン制御装置２で運転者が飲酒をしていないか判断するようにしてもよい。
【００１８】
エンジン制御装置２は、アルコール検知装置４からエンジン始動許可信号１２２を受信して、始動・停止ＳＷ１０１から始動信号を受信すると、エンジンスタータモータ１１３を駆動するとともに、燃料供給や点火を開始して、エンジンを始動する。
【００１９】
ここで、呼気中のアルコール濃度で飲酒状態を判定する場合、上述した所定の基準値は、０〜０．１５（ｍｇ／ｌ）の間で設定される。この基準値はゼロに近いことが好ましいが、アルコール検知器１４０の検出精度などを考慮して設定される。
【００２０】
アルコール検知器１４０は、運転者の呼気や血中に含まれるアルコール濃度を検知するものであり、例えば、車両のステアリングハンドルやシートベルトなどに取り付けられている。
【００２１】
アルコール検知器１４０は、運転者のアルコール濃度を検知できればよく、検知方法は特に限定されない。例えば、半導体センサ、燃料電池センサ、赤外線センサまたは化学物質センサを用いたハンディブロー式や据置ブロー式、遠方吸い込み式のアルコール検知器、光学式接触センサを用いた接触式のアルコール検知器などを用いることができる。
ここで、半導体センサは、半導体中に流れる電子の量がアルコールにより吸収され変化する特性を利用したものであり、電子の量の変化により生じる電気抵抗値の変化からアルコール濃度を検知する。燃料電池センサは、アルコールから電子を作り出すことができる燃料電池の特性を利用したものであり、作り出された電子の数に対応する電流値からアルコール濃度を検知する。赤外線センサは、赤外線がアルコールに吸収される特性を利用したものであり、アルコールにより吸収された赤外線を光検出器で電気信号に変換して解析することによりアルコール濃度を検知する。化学物質センサは、化学物質とアルコールとが化学反応を起こして変色する特性を利用してアルコール濃度を検知する。また、光学式接触センサは、血中アルコール濃度と静脈血流との間に相関関係があることを利用したものであり、センサで検出した指先の静脈血流に基づいて血中アルコール濃度を検知する。
【００２２】
携帯機１２は、所有者（運転者）によって所持され、車両制御装置１０（詳細には送受信装置５）と相互通信可能となっている。詳しくは、携帯機１２の遠隔エンジン始動ＳＷ１３が押印されると、所定のＩＤコード１４を自動的に送信する。このＩＤコード信号１４は、所定周波数（例えば３００ＭＨｚ）の電波１５として送信される。
【００２３】
また送受信装置５は、携帯機１２から送信された電波１５を受信すると、そのＩＤコードをパルス信号に復調して遠隔始動／停止制御装置１に対してＩＤコード受信信号１２３を出力する。
【００２４】
遠隔始動／停止制御装置は、送受信装置５からＩＤコード受信信号１２３が入力されると、ＩＤコード受信信号１２３に含まれるＩＤコードと、自身で予め設定されたＩＤコードとの比較（ＩＤコード照合）を行う。その結果、それらＩＤコード同士が一致したときは、遠隔始動／停止制御装置1は、エンジン制御装置２に対してエンジン始動要求１２６を送信する。また、それらＩＤコード同士が不一致のときには、遠隔始動／停止制御装置1は、エンジン制御装置２に対して特になにもしない。
【００２５】
また、ボディ制御装置３は、侵入センサ１３０、着座センサ１３１、ドア開閉ＳＷ１３２などのセンサが接続されている。
【００２６】
ボディ制御装置３は、携帯機１２によってエンジンを遠隔始動したあと、上述した侵入センサ１３０、着座センサ１３１、ドア開閉ＳＷ１３２から車両内に運転者が侵入したことや、車両内に運転者が存在することを検知した場合、エンジン制御装置２に侵入検知信号１２１を送信する。エンジン制御装置２は、前記侵入検知信号を受信するとエンジンを自動停止する。
【００２７】
次に、図３を参照しつつ、車両制御装置１０の動作について説明する。ここで、図３は、車両制御装置１０によるエンジン始動処理の処理手順を示すフローチャートである。
【００２８】
ステップＳ１では、運転者が携帯機１２の遠隔始動ＳＷ１３を押印することにより、エンジン始動要求が検知される。ステップＳ２では、遠隔始動／停止制御装置1で携帯機１２のＩＤ照合判定を実施する。
【００２９】
ステップＳ３では、ＩＤ照合が一致したと判断すると、ステップＳ４でエンジン制御装置２がエンジンスタータモータを駆動し、また、噴射・点火制御を実施してエンジンを始動させる。ステップＳ３でのＩＤ照合が不一致であると判断すると、エンジンの停止を継続する（ステップＳ１１）。
【００３０】
ステップＳ５では、遠隔で携帯機１２を使用してエンジン始動（ステップＳ４）させた後、ボディ制御装置３において車室内への運転者の侵入、あるいは車室内に運転者の存在を検知し、エンジン制御装置２に侵入検知信号１２１を送信する。ステップＳ６でエンジン制御装置２が侵入検知信号１２１を受け取ると、噴射・点火を停止して、エンジンを自動停止させる。尚、ステップＳ５の具体的な検知方法として、ドア開閉ＳＷ１３２からドア開閉を検出した場合や、運転席等に取り付けられた着座センサ１３０で運転者がいることを検出した場合や、車室内に取り付けられた侵入センサ１３１で運転者の侵入を検知した場合である。
【００３１】
ステップＳ７では、運転者が車室内でアルコール検知器１４０に対して呼気を吹きかけることにより、呼気中のアルコール濃度が検知される。また、アルコール検知器１４０で検知されたアルコール濃度がアルコール制御装置４に読み込まれる。
【００３２】
ステップＳ８では、アルコール検知装置４が検知されたアルコール濃度が基準値（例えば、０．１ｍｇ／ｌ）未満であるか否かについて判断が行われる。ここで、アルコール濃度が基準値未満である場合には、運転者が飲酒をしていない状態であると判断され、エンジン制御装置２にエンジン始動許可信号１２２を送信する。
【００３３】
ステップＳ９では、エンジン制御装置２に始動・停止ＳＷ１０１から信号が入力されると、ステップ１０でエンジンスタータモータを駆動し、また、噴射・点火制御を実施してエンジンを始動させる。
【００３４】
次に図４〜図７のタイミングチャートを参照しながら、エンジン始動について説明する。
【００３５】
図４は、運転者が携帯機で遠隔からエンジンを始動させた後、車両に乗り込み、アルコールチェックＯＫでエンジンを始動させた場合のタイミングチャートである。タイミングｔ１で携帯機１２からエンジン始動要求が送信され、タイミングｔ２において遠隔始動／停止装置２でＩＤ照合の一致を確認し、タイミングｔ３においてエンジン制御装置２がエンジンを始動させる。
【００３６】
つぎに、タイミングｔ４においてボディ制御装置３でドアの開閉を検知すると、エンジン制御装置２はエンジンを自動停止させる。
【００３７】
つぎに、タイミングｔ５において運転者がアルコール検知器に呼気を吹きかけ、アルコール検知装置４でアルコール濃度が所定値未満であるかどうかを判断する。
【００３８】
つぎに、タイミングｔ６において前記アルコール濃度チェックがＯＫの場合に、運転車が始動・停止ＳＷ１０１を押印したことをエンジン制御装置２が検知したときに、エンジンを始動させる。
【００３９】
つぎに、図５について説明する。図５は、運転者が携帯機でエンジンを始動した後、車両に乗り込み、アルコール濃度チェックがＮＧでエンジンが始動できない場合のタイミングチャート図である。
【００４０】
タイミングｔ１において携帯機１２からエンジン始動要求が送信され、タイミングｔ２において遠隔始動／停止装置２でＩＤ照合の一致を確認し、タイミングｔ３でエンジン制御装置２がエンジンを始動させる。
【００４１】
つぎに、タイミングｔ４においてボディ制御装置３でドアの開閉を検知すると、エンジン制御装置２はエンジンを自動停止させる。
【００４２】
つぎに、タイミングｔ５において運転者がアルコール検知器に呼気を吹きかけ、アルコール検知装置４でアルコール濃度が所定値未満であるかどうかを判断する。図５では、アルコール濃度が所定値以上であるため、アルコール濃度チェックＯＫフラグがＯＦＦのままである。
【００４３】
つぎに、タイミングｔ６において前記アルコール濃度チェックがＮＧのため、運転車が始動・停止ＳＷ１０１を押印しても、エンジン制御装置２はエンジンを始動させない。
【００４４】
つぎに、図６について説明する。図６は、運転者が携帯機１２でエンジンを始動させることなく、車両に乗り込み、アルコール濃度チェックがＯＫでエンジンを始動させた場合のタイミングチャート図である。
【００４５】
タイミングｔ４において、ボディ制御装置３でドアの開閉を検知しても、エンジンは停止している状態のため、エンジン制御装置２はとくになにも動作しない。
【００４６】
つぎに、タイミングｔ５において運転者がアルコール検知器１４０に呼気を吹きかけ、アルコール検知装置４でアルコール濃度が所定値未満であるかどうかを判断する。
【００４７】
つぎに、タイミングｔ６において前記アルコール濃度チャックがＯＫの場合に、運転車が始動・停止ＳＷを押印したことをエンジン制御装置２が検知したときに、エンジンを始動させる。
つぎに、図７について説明する。図７は、運転者が携帯機１２でエンジンを始動させることなく、車両に乗り込み、アルコール濃度チェックがＮＧでエンジンが始動できない場合のタイミングチャート図である。
【００４８】
タイミングｔ４において、ボディ制御装置３でドアの開閉を検知しても、エンジンは停止している状態のため、エンジン制御装置２はとくになにも動作しない。
【００４９】
つぎに、タイミングｔ５において運転者がアルコール検知器に呼気を吹きかけ、アルコール検知装置４でアルコール濃度が所定値未満であるかどうかを判断する。図５では、アルコール濃度が所定値以上であるため、アルコール濃度チェックＯＫフラグがＯＦＦのままである。
【００５０】
つぎに、タイミングｔ６において前記アルコール濃度チャックがＮＧのため、運転車が始動・停止ＳＷを押印されても、エンジン制御装置２はエンジンを始動させない。
（第２実施形態）
第１の実施形態は、遠隔でエンジンを始動させることによってエンジン暖機やプレ空調（車室内の暖房、冷房）を可能にした場合の実施例について説明してきた。後述する実施の形態は、エンジンを搭載していない電気自動車や燃料電池自動車、エンジンは搭載しているがモータのみで走行可能なハイブリット車両において遠隔操作でプレ空調を可能とする第２の実施形態である。
【００５１】
図８を参照して詳細に説明する。図８は電気自動車を実施例とした構成図である。
【００５２】
遠隔始動／停止装置１および送受信装置５およびボディ制御装置３およびアルコール検知装置は図１と同様の構成であるため、説明を省略する。また、携帯機１２の構成は遠隔エンジン始動ＳＷ１３から遠隔プレ空調ＳＷ１７になっている以外は同様の構成となっており、携帯機１２からプレ空調要求１６があった場合、送受信装置５で受信し、照合制御装置１へ送信する。照合制御装置１では、ＩＤコードの照合を確認し、照合成立であれば、エアコン制御装置７に空調制御許可信号を送信して、エアコン制御装置７はプレ空調制御を実施する。
【００５３】
尚、遠隔始動／停止制御装置１でＩＤ照合が成立しても、駆動モータ制御装置６に対しては、駆動モータに駆動許可を与えない。つまり、ＩＤ照合が一致しても、空調制御は許可するが、駆動モータに駆動許可を与えないため、車両が走行することができないようになっている。
【００５４】
つぎに、遠隔でプレ空調実施後に、ボディ制御装置３で車室内への運転者の侵入あるいは、車室内に運転者が存在していることを検知すると、プレ空調制御を禁止する。ただし、この場合、駆動モータに駆動許可を与えていなため、車両は走行できないようになっている。そのため、とくにプレ空調制御を禁止する必要はない。
【００５５】
つぎに、運転者がアルコール検知器に呼気を吹きかけ、アルコール濃度を検知してアルコール検知装置でアルコール濃度が所定値（例えば、０．１ｍｇ／ｌ）未満であるか否かについて判断が行われる。
【００５６】
上記アルコール濃度判断結果でアルコール濃度が所定値未満であれば、駆動モータ制御装置６にモータの駆動許可を与える。その後、運転者が始動・停止ＳＷを押印すれば、車両が走行できるようになっている。
【００５７】
仮に、上記アルコール濃度判断結果でアルコール濃度が所定値以上であれば、駆動モータ制御装置６にモータの駆動の駆動を禁止する。つまり、運転者が始動・停止ＳＷを押印しても、車両は走行できないようになっている。
（第３実施形態）
次に図９を用いて第３の実施形態について説明する。第１の実施形態はエンジン制御装置１で車両に搭載された始動・停止ＳＷ１０１からのエンジン始動要求信号か携帯機１２からのエンジン始動信号１２０かを判断し、携帯機１２からのエンジン始動要求１２０の場合はアルコール検知装置４からのエンジン始動許可信号１２２に関わらずエンジンを始動できるようにした実施例であった。これに対し、第３の実施形態では、エンジン制御装置２は車両に搭載された始動・停止ＳＷ１０１からのエンジン始動要求信号か携帯機１２からのエンジン始動信号１２０かを判断しなくてもいいような形態とした。以下に、第１の実施形態と異なる箇所について詳細に説明する。
【００５８】
始動・停止ＳＷ１０１からのエンジン始動要求信号と遠隔始動／停止装置１からのエンジン始動要求１２０は同一の信号としてエンジン制御装置２に入力される。すなわち、エンジン制御装置２にアルコール検知結果が問題ないと判断されないとエンジン制御装置２はエンジンを始動できないようになっている。ここで、懸かる問題（携帯機からエンジン始動できない問題）を解決するために、遠隔始動／停止装置１は、携帯機１２とのＩＤ照合が一致した場合、エンジン始動許可信号１２２に相当するエンジン始動許可擬似信号１２４をエンジン制御装置２に送信する。以上の構成とすることにより、後付けで遠隔始動／停止装置１を装着してもエンジンの始動が可能となる。
【００５９】
また、ボディ制御装置３で運転者が車両に侵入したことを検知すると、侵入検知信号１２１を遠隔始動／停止装置１に送信し、遠隔始動／停止装置１が侵入検知信号１２１を受信するとエンジン停止要求１２３をエンジン制御装置２へ送信し、エンジン制御装置２がエンジン停止要求１２３を受信するとエンジンを自動停止する。
【符号の説明】
【００６０】
１：遠隔始動／停止装置
２：エンジン制御装置
３：ボディ制御装置
４：アルコール検知装置
５：送受信装置
６：駆動モータ制御装置
７：エアコン制御装置
８：通信線
９：通信線
１０：車両制御装置
１１：車両
１２：携帯機
【図１】
2010167826.tif 000003
【図２】
2010167826.tif 000004
【図３】
2010167826.tif 000005
【図４】
2010167826.tif 000006
【図５】
2010167826.tif 000007
【図６】
2010167826.tif 000008
【図７】
2010167826.tif 000009
【図８】
2010167826.tif 000010
【図９】
2010167826.tif 000011